【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
プラグを受容するための開口部を備える筐体と、
前記開口部に少なくとも部分的に受容される複数のプラグインターフェース接触子（ＰＩＣ）であって、前記複数のプラグインターフェース接触子が、前記開口部に近位のそれぞれの近位端を含み、前記複数のプラグインターフェース接触子が、前記開口部に遠位のそれぞれの遠位端を有し、前記遠位端が、通信コネクタ内部に固定され、前記近位端が、前記遠位端に対して回転し、前記複数のプラグインターフェース接触子のうちの少なくともいくつかが、前記近位端より広い幅の遠位端を有し、より広い幅の遠位端を有する前記複数のプラグインターフェースのうちうちの少なくともいくつかが、より広い幅の遠位端にカットアウトを含む、複数のプラグインターフェース接触子と、
を備える、ＲＪ４５対応通信コネクタ。
【請求項２】
前記複数のプラグインターフェース接触子のうちの少なくともいくつかが、既定のＰＩＣ間の均一のカップリングを維持しながら、断面の変形を有する、請求項１に記載のＲＪ４５対応通信コネクタ。
【請求項３】
前記複数のプラグインターフェース接触子のうちの少なくともいくつかが、より幅の広い遠位端内に逆さまのＵ字形状を含む、請求項１に記載のＲＪ４５対応通信コネクタ。
【請求項４】
より幅の広い前記遠位端が、前記逆さまのＵ字形状にわたって機械的応力を分散する、請求項３に記載のＲＪ４５対応通信コネクタ。
【請求項５】
前記複数のプラグインターフェース接触子のうちの少なくともいくつかが、既定のＰＩＣ間の有益なカップリングを有する逆さまのＵ字形状を含む、請求項１に記載のＲＪ４５対応通信コネクタ。
【請求項６】
通信機器と、
前記通信機器に接続されたＲＪ４５対応通信コネクタと、
を備え、
前記ＲＪ４５対応通信コネクタが、プラグを受容するための開口部を備える筐体と、前記開口部に少なくとも部分的に受容される複数のプラグインターフェース接触子（ＰＩＣ）を含み、前記複数のプラグインターフェース接触子が、前記開口部に近位のそれぞれの近位端を含み、前記複数のプラグインターフェース接触子が、前記開口部に遠位のそれぞれの遠位端を有し、前記遠位端が、前記通信コネクタ内部に固定され、前記近位端が、前記遠位端に対して回転し、前記複数のプラグインターフェース接触子の少なくともいくつかが、前記近位端より広い幅の遠位端を有し、より広い幅の遠位端を有する前記複数のプラグインターフェースのうちうちの少なくともいくつかが、より広い幅の遠位端にカットアウトを含む、通信システム。
【請求項７】
前記複数のプラグインターフェース接触子のうちの少なくともいくつかが、既定のＰＩＣ間の均一のカップリングを維持しながら、断面の変形を有する、請求項６に記載の通信システム。
【請求項８】
前記複数のプラグインターフェース接触子のうちの少なくともいくつかが、より幅の広い前記遠位端内に逆さまのＵ字形状を含む、請求項６に記載の通信システム。
【請求項９】
より幅の広い前記遠位端が、前記逆さまのＵ字形状にわたって機械的応力を分散する、請求項８に記載の通信システム。
【請求項１０】
前記複数のプラグインターフェース接触子のうちの少なくともいくつかが、既定のＰＩＣ間の有益なカップリングを有する逆さまのＵ字形状を含む、請求項６に記載の通信システム。
【請求項１１】
プラグを受容するための開口部を備える筐体と、
前記開口部に少なくとも部分的に受容される複数のプラグインターフェース接触子（ＰＩＣ）であって、前記複数のプラグインターフェース接触子が、前記開口部に近位のそれぞれの近位端を含み、前記複数のプラグインターフェース接触子が、前記開口部に遠位のそれぞれの遠位端を有し、前記遠位端が、通信コネクタ内部に固定され、前記近位端が、前記遠位端に対して回転し、前記遠位端にはヘムが作成されている、複数のプラグインターフェース接触子と、
を備える、ＲＪ４５対応通信コネクタ。
【請求項１２】
プラグを受容するための開口部を備える筐体と、
垂直に配置されたプリント回路基板（ＰＣＢ）と、
前記開口部に少なくとも部分的に受容される複数のプラグインターフェース接触子（ＰＩＣ）であって、前記複数のプラグインターフェース接触子それぞれが前記開口部に近位する近位部分、前記開口部に遠位する遠位部分、及び、前記近位部分と前記遠位部分との間のプラグ接触ゾーンを有し、前記遠位部分は、第１の高さ、または、第２の高さの一方で前記プリント回路基板内に固定されており、前記第１の高さが、前記プリント回路基板の高さに対して前記第２の高さより高い、複数のプラグインインターフェース接触子と、
を備え、
少なくとも１つのプラグインターフェース接触子が、前記第１の高さの上で延在する、前記遠位部分それぞれの上部を有し、少なくとも１つの他のプラグインターフェース接触子が、前記第２の高さの下で延在する、前記遠位部分それぞれの下部を有る、ＲＪ４５対応通信コネクタ。
【請求項１３】
前記第１の高さの上で延在する前記遠位部分それぞれの前記上部を有する前記少なくとも１つのプラグインターフェース接触子が、前記プラグ接触ゾーンそれぞれの高さの下で延在する中間部をさらに有する、請求項１２に記載のＲＪ４５対応通信コネクタ。
【請求項１４】
前記中間部の断面幅が、前記プラグ接触ゾーンそれぞれの断面幅より広く、かつ、前記中間部が、カットアウトを含む、請求項１３に記載のＲＪ４５対応通信コネクタ。
【請求項１５】
前記中間部が円弧形状を備える、請求項１３に記載のＲＪ４５対応通信コネクタ。
【請求項１６】
前記上部が、側面から見た際に逆さまのＵ字形状を備える、請求項１２に記載のＲＪ４５対応通信コネクタ。
【請求項１７】
前記上部の断面幅が、前記プラグ接触ゾーンそれぞれの断面幅より広い、請求項１２に記載のＲＪ４５対応通信コネクタ。
【請求項１８】
前記下部が円弧形状を備える、請求項１２に記載のＲＪ４５対応通信コネクタ。
【請求項１９】
プリント基板（ＰＣＢ）を有するＲＪ４５対応通信ジャックのおける使用のためのプラグインターフェース接触子であって、前記プリント基板が：
第１の端部；
第２の端部；
前記プリント基板に電気的かつ機械的に連結されている、前記第１の端部と前記第２の端部の少なくとも１つの少なくとも一部；及び、
前記第１の端部と前記第２の端部との間に位置する中間領域であって、前記プリント基板に電気的かつ機械的に連結されている端部の厚みとは異なる厚みを有する中間領域；
を備えることを特徴とするプラグインターフェース接触子。
【請求項２０】
前記第１の端部と前記第２の端部の少なくとも１つがコンプライアントピンを備える、請求項１９に記載のプラグインターフェース接触子。
【請求項２１】
前記中間領域の厚みが、前記第１の端部と前記第２の端部の少なくとも１つの厚みの半分である、請求項１９に記載のプラグインターフェース接触子。
【請求項２２】
前記第１の端部と前記第２の端部の少なくとも１つにはヘムが作成されている、請求項１９に記載のプラグインターフェース接触子。
【請求項２３】
前記中間領域が、単層構造を含み、前記第１の端部と前記第２の端部の少なくとも１つが複層構造を含む、請求項１９に記載のプラグインターフェース接触子。
【請求項２４】
前記複層構造が２層構造である、請求項２３に記載のプラグインターフェース接触子。
【請求項２５】
前記中間領域が、通信プラグのプラグ接触子と接触させるように構成された接触領域を含む、請求項１９に記載のプラグインターフェース接触子。
【請求項２６】
筐体；
前記筐体内に少なくとも部分的に配置されるプリント基板（ＰＣＢ）；及び、
複数のプラグインターフェース接触子（ＰＣＩｓ）であって、前記プラグインターフェース接触子それぞれが、前記プリント基板内に固定された固定端部；前記固定端部と対向する自由端部；及び、前記固定端部と前記自由端部との間に位置する中間領域；を含み、前記固定端部が、前記自由端部及び前記中間領域の少なくとも１つの厚みより大きい厚みを有する、複数のプラグインターフェース接触子（ＰＣＩｓ）；
を備えることを特徴とするＲＪ４５対応通信ジャック。
【請求項２７】
前記自由端部の厚みが、前記中間領域の厚みと同一である、請求項２６に記載のＲＪ４５対応通信ジャック。
【請求項２８】
前記固定端部がコンプライアントピンを備える、請求項２６に記載のＲＪ４５対応通信ジャック。
【請求項２９】
前記固定端部にはヘムが作成されている、請求項２６に記載のＲＪ４５対応通信ジャック。
【請求項３０】
前記固定端部の厚みが、前記自由端部及び前記中間領域の少なくとも１つの厚みの２倍である、請求項２６に記載のＲＪ４５対応通信ジャック。
【請求項３１】
前記自由端部及び前記中間領域の少なくとも１つが単層構造を含み、前記固定端部が複層構造を含む、請求項２６に記載のＲＪ４５対応通信ジャック。
【請求項３２】
前記複層構造が、２層構造である、請求項３１に記載のＲＪ４５対応通信ジャック。
【請求項３３】
前記中間領域が、通信プラグのプラグ接触子と接触させるように構成された接触領域を含む、請求項２６に記載のＲＪ４５対応通信ジャック。
【請求項３４】
プリント基板（ＰＣＢ）を有するＲＪ４５対応通信ジャックに使用されるためのプラグインターフェース接触子（ＰＣＩ）であって、前記プラグインターフェース接触子が：
第１の端部；
第２の端部；
前記第１の端部と前記第２の端部との間に位置する中間領域であって、前記中間領域が、単層の材料を有し、前記第１の端部及び前記第２の端部の少なくとも１つが、複層の材料を有し、かつ、前記プリント基板内に固定されていることを特徴とするプラグインターフェース接触子（ＰＣＩ）。
【請求項３５】
前記複層が２層である、請求項３４に記載のプラグインターフェース接触子（ＰＣＩ）。
【請求項３６】
前記第１の端部及び前記第２の端部の少なくとも１つが、コンプライアントピンを備える、請求項３４に記載のプラグインターフェース接触子（ＰＣＩ）。
【請求項３７】
前記第１の端部及び前記第２の端部の少なくとも１つにはヘムが作成されている、請求項３４に記載のプラグインターフェース接触子（ＰＣＩ）。
【請求項３８】
前記中間領域が、通信プラグのプラグ接触子と接触させるように構成された接触領域を含む、請求項３４に記載のプラグインターフェース接触子（ＰＣＩ）。